(57)【要約】【課題】  悪臭の飛散、虫の発生を防止する。【解決手段】  流し台用ゴミ収納具２は下側の略円筒状の第１の容器４と、第１の容器４の上に載置された椀状の第２の容器５から成る。第１の容器４は上部にラッパ状の開口６、下部に円形の開口７、側面の外周に沿った３箇所に外側に膨出するとともに下方に突出した膨出部８が設けられている。第１の容器４の内側には使い捨ての水切り用のゴミ袋１０が着脱自在にセット可能である。第２の容器５を第１の容器４の上に載せたとき底部が開口６の端縁９に密接するように形成されている。水気を含む生ゴミを捨てる場合、第２の容器を外し、第１の容器４の水切り用ゴミ袋１０に入れたあと、第２の容器５を載せて蓋をする。料理で出た野菜クズ等の乾きゴミは第２の容器５に入れ、水気を含む生ゴミとは別に収納する。【選択図】        図５
0003126786.tif 000002
【実用新案登録請求の範囲】
【請求項１】
上部と下部が開口し、水切り可能なゴミ袋が着脱自在にセットされる水切りゴミ用の第１の容器と、
第１の容器の上部開口に載置されて蓋をする乾きゴミ用の凹状の第２の容器と、
を備えたことを特徴とする流し台用ゴミ収納具。
【請求項２】
第１の容器を筒型に形成するとともに、側面の外周に沿った複数箇所に外側に膨出した排水用膨出部を設けたこと、
を特徴とする請求項１記載の流し台用ゴミ収納具。
【請求項３】
第２の容器の底に水抜き用の１または複数の孔を設けたこと、
を特徴とする請求項１または２記載の流し台用ゴミ収納具。
【請求項４】
上部が開口するとともに底部に多数の水切り孔が設けられた第１の容器と、
第１の容器の上部開口に載置されて蓋をする乾きゴミ用の凹状の第２の容器と、
を備えたことを特徴とする流し台用ゴミ収納具。
【請求項５】
第２の容器の底に水抜き用の１または複数の孔を設けたこと、
を特徴とする請求項４記載の流し台用ゴミ収納具。
【考案の詳細な説明】
【技術分野】
【０００１】
本考案は流し台用ゴミ収納具に係り、とくに水に濡れた生ゴミの減量が可能な流し台用ゴミ収納具に関する。
【背景技術】
【０００２】
流し台のゴミ収納具として用いられる三角コーナは、上部が開口し底部に多数の水切り孔が設けられており、お味噌汁、煮物、お茶殻等の水気を含むゴミを捨てると、水切り孔から水分が抜け出てゴミの量を減らすことができる。三角コーナに水切りゴミ袋（使い捨て）をセットしておけば、水切り後の生ゴミの処分も容易に出来る。
【０００３】
ところで、夏場になると三角コーナに捨てられた水分を含むお味噌汁、煮物、お茶殻等のゴミが直ぐに腐敗してしまい、悪臭が飛散したり、虫が発生したりする欠点があった。
また、料理で出た野菜クズ等の乾きゴミを一緒に入れると、乾きゴミまでお味噌汁、煮物、お茶殻等の水分を吸って腐敗し、悪臭を飛散したり、虫が発生したりしてしまっていた。
【０００４】
【特許文献１】実開平７−８３０６号公報
【特許文献２】実用新案登録第３１２２８５４号公報
【考案の開示】
【考案が解決しようとする課題】
【０００５】
本考案は上記した従来の問題に鑑み、悪臭の飛散、虫の発生を抑制できる流し台用ゴミ収納具を提供することを、その目的とする。
【課題を解決するための手段】
【０００６】
請求項１の考案は、上部と下部が開口し、水切り可能なゴミ袋が着脱自在にセットされる水切りゴミ用の第１の容器と、第１の容器の上部開口に載置されて蓋をする乾きゴミ用の凹状の第２の容器と、を備えたことを特徴としている。
請求項２の考案は、第１の容器を筒型に形成するとともに、側面の外周に沿った複数箇所に外側に膨出した排水用膨出部を設けたこと、を特徴としている。
請求項４の考案は、上部が開口するとともに底部に多数の水切り孔が設けられた第１の容器と、第１の容器の上部開口に載置されて蓋をする乾きゴミ用の凹状の第２の容器と、を備えたことを特徴としている。
請求項３、５の考案は、第２の容器の底に水抜き用の１または複数の孔を設けたことを特徴としている。
【考案の効果】
【０００７】
本考案によれば、水気を含む生ゴミを収納する第１の容器の上部開口を第２の容器が蓋をするので、悪臭、虫の発生を抑えることができる。また、野菜クズ等の乾きゴミは、水気を含む生ゴミとは別個に第２の容器に収納できるので、乾きゴミが水分を吸って悪臭を発したり、虫が発生するのを抑制することができる。  更に、第１の容器に水切り可能なゴミ袋をセットする場合、乾きゴミはゴミ袋に入れずに済むので、ゴミ袋の有効利用ができる。
【考案を実施するための最良の形態】
【０００８】
上部と下部が開口し、水切り可能なゴミ袋が着脱自在にセットされる水切りゴミ用の筒型の第１の容器と第１の容器の上部開口に載置されて蓋をする乾きゴミ用の凹状の第２の容器を備える。第１の容器にゴミ袋をセットした上に第２の容器を載置しておく。お味噌汁、煮物、お茶殻等の水気を含む生ゴミを捨てる場合、第２の容器を外し、第１の容器のゴミ袋に水気を含む生ゴミを入れたあと、第２の容器を載せて蓋をする。水気を含む生ゴミから出た水分はゴミ袋及び第１の容器の下部開口から外部に排出される。第１の容器の上部の開口は第２の容器で蓋がされているため、腐敗による悪臭と虫の発生が抑えられる。料理で出た野菜クズ等の乾きゴミは第２の容器に入れ、水気を含む生ゴミとは別に収納する。これにより、乾きゴミが水気を含むのを防止でき、悪臭の飛散と虫の発生を抑えることができる。第１の容器には側面の外周に沿った３箇所に外側に膨出した排水用膨出部を設けてあるので、ゴミ袋から出た水分が排水用膨出部を通して円滑に外部に排出される。
【実施例１】
【０００９】
図１は本考案の第１の実施例に係る流し台用ゴミ収納具の使用状態を示す斜視図である。
１は流し台、２は本考案に係る流し台用ゴミ収納具であり、流し台１の凹部３に置かれている。流し台用ゴミ収納具２は下側の略円筒状の第１の容器４（図２参照）と、第１の容器４の上に載置された凹状（ここでは、椀状）の第２の容器５（図３参照）から成る。第１の容器４は図２、図４、図５に示す如く、上部にラッパ状の開口６、下部に円形の開口７、側面の外周に沿った３箇所に外側に膨出するとともに下方に突出した膨出部８が設けられている。第１の容器４の内側には使い捨ての水切り用のゴミ袋（図５の破線１０参照）が着脱自在にセット可能である。第２の容器５を第１の容器４の上に載せたとき底部が開口６の端縁９に密接するように形成されている（図５参照）。
【００１０】
図６〜図１１は流し台用ゴミ収納具２の使用方法の説明図であり、以下、これらの図を参照して、本実施例の作用説明をする。まず、図６の如くして第１の容器４のツバ状の開口６に上端部を係止させながら水切り用ゴミ袋１０を第１の容器４の内側にセットし、開口６の上に第２の容器５を載せ蓋をし（図７）、例えば図１の如く流し台１の凹部３の中に置く。流し台用ゴミ収納具２は凹部３の中で第１の容器４の３つの膨出部８により立つ。
お味噌汁、煮物、お茶殻等の水気を含む生ゴミが出た場合、第２の容器５を外し（図８参照）、第２の容器４の水きり用ゴミ袋１０の中に捨て（図９の符号Ａ）、開口６の上に第２の容器５を戻して蓋をする。生ゴミＡの水分は水きり用ゴミ袋１０の孔から出て、第１の容器４の開口７から外部に排出されて水切りがなされる。水気を含む生ゴミＡの量が多くても、水きり用ゴミ袋１０と膨出部８の隙間（図１０の符号１１参照）に水分（図１０の符号１２参照）が出るため、円滑に水切りがなされる。若し、用膨出部８がなかったとき、水気を含む生ゴミＡの量が多いと水きり用ゴミ袋１０と第１の容器４の内壁との間に隙間がなくなり、水切りが悪くなってしまう。第１の容器４に水気を含む生ゴミＡを放置すると、腐敗し、悪臭を発生するが、第２の容器５により蓋がされているため、悪臭が外部に飛散するのが抑制される。また、第２の容器５により蓋がされているため、虫の発生も抑えられる。
【００１１】
料理で野菜クズ等の乾きゴミを含む乾きゴミが出た場合、第２の容器５の中に入れ、水気を含む生ゴミＡとは別に収納する（図１１の符号Ｂ参照）。これにより、乾きゴミＢに水気が移って腐敗し、悪臭が飛散するのを防止でき、虫の発生も抑えることができる。
第２の容器５に乾きゴミＢが溜まればゴミ回収袋等に捨てる。また、第１の容器４にゴミＡが溜まれば第２の容器５を外し、水切り用ゴミ袋１０とともにゴミ回収袋等に捨てる。そして、第１の容器４に新たな水切り用ゴミ袋１０をセットし、上に第２の容器５を載せる。
【００１２】
この実施例によれば、お味噌汁、煮物、お茶殻等の水気を含む生ゴミを捨てる場合、第２の容器５を外し、第１の容器４の水切り用ゴミ袋１０に水気を含む生ゴミを入れたあと、第２の容器５を載せて蓋をする。水気を含む生ゴミから出た水分は水切り用ゴミ袋１０及び第１の容器５の下部の開口７から外部に排出される。第１の容器４の上部の開口６は第２の容器５で蓋がされているため、腐敗による悪臭の飛散と虫の発生が抑えられる。料理で出た野菜クズ等の乾きゴミは第２の容器５に入れ、水気を含む生ゴミとは別に収納する。これにより、乾きゴミが水気を含むのを防止でき、悪臭の発生及び飛散と虫の発生を抑えることができる。第１の容器４には側面の外周に沿った３箇所に外側に膨出した用膨出部８を設けてあるので、ゴミ袋から出た水分が膨出部８の隙間１１を通して円滑に外部に排出される。
【実施例２】
【００１３】
次に本考案の第２の実施例を説明する。図１２は本考案の第２の実施例に係る流し台用ゴミ収納具２Ａの断面図であり、図１の実施例と同一の構成部分には同一の符号が付してある。
図１の実施例では第１の容器の下部は開口していたが、図１２の第１の容器４Ａは、複数の水切り孔１２を有する底部１３となっている（図１３参照）。その他の構成部分は図１と全く同様に構成されている。
図１２の例によれば、第１の容器４Ａに直接、水気を含む生ゴミを入れれば、生ゴミから出た水分は第１の容器４Ａの下部の水切り孔１２から外部に排出されるので、水切り用ごみ袋を使用しなくて済む。
【００１４】
なお、上記した各実施例では、第１の容器の容器は円筒状に形成したが、角柱状などでも良い。
また、第２の容器を図１４、図１５の如く変形し、半球状に形成された第２の容器５Ａの底部中心に小径の水抜き孔１５を設けておけば、間違って水分を含む生ゴミを第２の容器５Ａに入れたときに円滑に水抜きをさせることができ、第２の容器での腐敗の進行、虫の発生を抑制することができる。第２の容器５Ａの底部外側の３つの突起１４は、第２の容器５Ａを流し台等に置いたときの安定を図るとともに、水抜き孔１５からの水抜きを円滑に行なうためのものである。
【産業上の利用可能性】
【００１５】
本考案は、家庭用、業務用の流し台用ゴミ収納具に適用できる。
【図面の簡単な説明】
【００１６】
【図１】本考案の第１の実施例に係る流し台用ゴミ収納具の使用状態を示す外観斜視図である（実施例１）。
【図２】第１の容器の平面図である。
【図３】第２の容器の断面図である。
【図４】流し台用ゴミ収納具の平面図である。
【図５】図４のＶ−Ｖ´線に沿った縦断面図である。
【図６】流し台用ゴミ収納具の組み立て方法の説明図である。
【図７】流し台用ゴミ収納具の組み立て方法の説明図である。
【図８】流し台用ゴミ収納具の使用方法の説明図である。
【図９】流し台用ゴミ収納具の使用方法の説明図である。
【図１０】流し台用ゴミ収納具の使用方法の説明図である。
【図１１】流し台用ゴミ収納具の使用方法の説明図である。
【図１２】本考案の第２の実施例に係る流し台用ゴミ収納具の縦断面図である（実施例２）。
【図１３】図１２の流し台用ゴミ収納具の一部省略した外観斜視図図である。
【図１４】第１の容器の変形例を示す平面図である。
【図１５】図１４のＸＶ−ＸＶ´線に沿った縦断面図である。
【符号の説明】
【００１７】
２  流し台用ゴミ収納具              ４、４Ａ  第１の容器
５、５Ａ  第２の容器                ６、７  開口
８  膨出部                          １０  水切り用ゴミ袋
１２、１５  水抜き孔
Ａ  水気を含む生ゴミ                Ｂ  乾きゴミ
【図１】
0003126786.tif 000003
【図２】
0003126786.tif 000004
【図３】
0003126786.tif 000005
【図４】
0003126786.tif 000006
【図５】
0003126786.tif 000007
【図６】
0003126786.tif 000008
【図７】
0003126786.tif 000009
【図８】
0003126786.tif 000010
【図９】
0003126786.tif 000011
【図１０】
0003126786.tif 000012
【図１１】
0003126786.tif 000013
【図１２】
0003126786.tif 000014
【図１３】
0003126786.tif 000015
【図１４】
0003126786.tif 000016
【図１５】
0003126786.tif 000017